(57)【特許請求の範囲】
【請求項１】
飲料を注出し得る飲料注出装置(10)のドアパネル(12)の裏面側に、上下一対の止着部材(30,20)を介してスイッチ(21)やランプ(23)等の各種部品が配設される操作箱(18)を取付ける構造であって、
前記上止着部材(30)は、
前記ドアパネル(12)に取付けられる上屈曲辺(30a)と、
前記上屈曲辺(30a)に連設されてドアパネル(12)から後方に向けて所要角度で下方傾斜するよう延在する傾斜部(30c)と、
前記傾斜部(30c)の下端に連設されて水平に延在する下屈曲辺(30b)とから構成され、
前記上下の止着部材(30,20)の間に介挿した操作箱(18)の上面板(18b)を、上止着部材(30)の下屈曲辺(30b)に固定手段(22)で止着するようにした
ことを特徴とする飲料注出装置の操作箱取付け構造。
【請求項２】
前記上止着部材(30)の傾斜部(30c)と操作箱(18)の上面板(18b)との間に所要の空間(S)を画成し、この空間(S)内に、操作箱(18)に各種部品を取付けるための固定部材(32)を臨ませるよう構成した請求項１記載の飲料注出装置の操作箱取付け構造。
【請求項３】
前記下止着部材(20)は、前記ドアパネル(12)に取付けられる垂直部(20b)と、ドアパネル(12)から後方に水平に延出する水平部(20a)とからなる逆Ｌ字状に形成され、その水平部(20a)を前記上止着部材(30)の下屈曲辺(30b)と平行に対向した状態で、該水平部(20a)と下屈曲辺(30b)との間に前記操作箱(18)を介挿するよう構成した請求項１または２記載の飲料注出装置の操作箱取付け構造。
【発明の詳細な説明】
【０００１】
【発明の属する技術分野】
この発明は飲料注出装置の操作箱取付け構造に関し、更に詳細には、飲料注出装置を作動して飲料注出を行なわせるスイッチや飲料注出状態等を知らせるランプが配設される操作箱を、ドアパネルの裏面側に上下一対の止着部材により取付けるようにした飲料注出装置の操作箱取付け構造に関するものである。
【０００２】
【従来の技術】
例えば、複数の飲料を選択して注出し得るようにした飲料注出装置では、図７(ａ),(ｂ)に示すように、該装置１０の前面にドアパネル１２が開閉自在に配設されると共に、内部に配設した注出機構(図示せず)に連通する複数(図示例では２個)の注出ノズル１３が下向きに開口した状態で配設されている。またドアパネル１２の表面側には、注出機構から注出される飲料のメニュー等を印刷した操作ラベル１４が貼着されている。この操作ラベル１４には、図４に示す如く、前記注出ノズル１３の配設数と対応して２つのメニュー表示１５が並列的に印刷されると共に、各メニュー表示１５の直下には、円形状の押圧用ボタン１６が僅かな高さでもってエンボス加工成形されている。また、操作ラベル１４における一方(図４の右側)の押圧用ボタン１６の下方に、透明な表示窓２５,２６が設けられている。なお、操作ラベル１４が貼着されるドアパネル１２には、各押圧用ボタン１６と対応する位置に挿通孔１２ａが夫々開設されると共に、表示窓２５,２６と対応する位置に挿通孔１２ｂが夫々開設されている。
【０００３】
前記ドアパネル１２における操作ラベル１４の貼着位置と対応する裏面側には、操作箱１８が取付けられる。この操作箱１８は、図４および図５に示すように、断面がコ字状に成形された横長の矩形状箱体であって、そのドアパネル１２を指向する前面開口部１８ａを画成する上面板１８ｂの内部側には、操作ラベル１４の各押圧用ボタン１６および挿通孔１２ａと対応する位置にマイクロスイッチ２１が夫々配設されている。また、操作箱１８の前面開口部１８ａを画成する下面板１８ｃの内部側には、操作ラベル１４の表示窓２５,２６および挿通孔１２ｂと対応する位置にランプ２３が夫々配設されている。なお、例えば一方のランプ２３は点灯により飲料が注出状態にあることを知らせ、また他方のランプ２３は点灯により飲料が適温であることを知らせるべく機能する。
【０００４】
前記マイクロスイッチ２１およびランプ２３が配設された操作箱１８は、図５および図６に示す如く、前記前面開口部１８ａをドアパネル１２の裏面側に指向させた状態で、例えば上下一対のブラケット２０,２０を介してドアパネル１２に取付けられるようになっている。すなわち、両ブラケット２０,２０は、その長手方向の寸法が操作箱１８の長手方向の寸法よりも若干短めに設定された長方形の板体を、短手方向の略中央部に沿って直角に屈曲成形したＬ字状を呈し、その水平部２０ａ,２０ａを上下に所定間隔離間して対向した状態で、上下に延在する垂直部２０ｂ,２０ｂをドアパネル１２に夫々スポット溶接等により取付けられる。そして、両ブラケット２０,２０の対向する水平部２０ａ,２０ａの間に操作箱１８を介挿した状態で、該水平部２０ａ,２０ａに上面板１８ｂおよび下面板１８ｃをビス２２を介して夫々固着することにより、当該操作箱１８はドアパネル１２に取付けられる。
【０００５】
なお前記操作箱１８は、上下一対のブラケット２０,２０で取付けられる他に、ドアパネル１２の大きさや該パネル１２に対する操作箱１８の取付け位置等によって、図６(ａ)に示す如く、左右一対のＬ型ブラケット２４,２４で取付けられたり、上または下ブラケット２０と左または右ブラケット２４との組合わせによっても取付けられていた。
【０００６】
【発明が解決しようとする課題】
前述した操作箱取付け構造においては、操作箱１８の取付けに使用される上ブラケット２０が、前述したようにＬ字状を呈しているため、操作箱１８の上面板１８ｂに取付けられた上ブラケット２０の水平部２０ａには、飲料注出装置１０の機構部内に空冷用として取込まれる外気等に含まれている微細な埃や、該装置内で発生する露等が経時的に溜り易くなり、不衛生となる欠点がある。また、埃等の滞留物が飲料注出装置１０内を循環する空冷用外気によって飛散し、これが操作箱１８内に侵入した際には、前記マイクロスイッチ２１のような小型電装品が故障すると云った不測の事態を招く危惧がある。
【０００７】
更に、前記操作箱１８の上面板１８ｂにマイクロスイッチ２１の取付け用のネジ２８が露出している場合には、図６(ｂ)に示すように、上ブラケット２０の水平部２０ａに、該ネジ２８との干渉を避けるための切欠２０ｃを設ける必要がある。しかしこの場合は、該切欠２０ｃの内側に埃や露が更に溜り易くなってしまう。そこで、図６(ｂ)に想像線で示す如く、ネジ２８の露出位置を避けた長さに寸法設定した上ブラケット２０を上面板１８ｂの取付けに使用することもあるが、操作箱１８の長手方向一方の側に上ブラケット２０が片寄ることになり、ドアパネル１２に対する支持バランスが悪くなる欠点がある。またドアパネル１２を開放した際に、ネジ２８が露出していたり、上ブラケット２０が片寄って取付けられていると見栄えが良くないと云う難点も指摘される。
【０００８】
【発明の目的】
この発明は、前述した従来の技術に内在する問題点に鑑み、これを好適に解決するべく提案されたものであって、操作箱の上側に埃や露等が溜るのを抑制して衛生的に保ち得ると共に、操作箱に各種部品を取付けるためのネジ等の固定部材が露出するのを防止して見栄えを良くし得る飲料注出装置の操作箱取付け構造を提供することを目的とする。
【０００９】
【課題を解決するための手段】
前記課題を克服し、所期の目的を好適に達成するため本発明に係る飲料注出装置の操作箱取付け構造は、
飲料を注出し得る飲料注出装置のドアパネルの裏面側に、上下一対の止着部材を介してスイッチやランプ等の各種部品が配設される操作箱を取付ける構造であって、
前記上止着部材は、
前記ドアパネルに取付けられる上屈曲辺と、
前記上屈曲辺に連設されてドアパネルから後方に向けて所要角度で下方傾斜するよう延在する傾斜部と、
前記傾斜部の下端に連設されて水平に延在する下屈曲辺とから構成され、
前記上下の止着部材の間に介挿した操作箱の上面板を、上止着部材の下屈曲辺に固定手段で止着するようにしたことを特徴とする。
【００１０】
【発明の実施の形態】
次に、本発明に係る飲料注出装置の操作箱取付け構造につき、好適な実施例を挙げて、添付図面を参照しながら以下説明する。なお、図４〜図７に関して従来の技術で説明した部材と同一の部材については、同じ符号を付して示すこととする。また飲料注出装置１０のドアパネル１２、操作ラベル１４および操作箱１８の構成は従来の技術と同じであるので、その詳細説明は省略するものとする。
【００１１】
図１および図２に示す如く、飲料注出装置１０のドアパネル１２の裏面側には、上下で対をなす止着部材としての上ブラケット３０と下ブラケット２０とを介して、マイクロスイッチ２１やランプ２３が配設される操作箱１８が取付けられるようになっている。上ブラケット３０は、その長手方向の寸法が操作箱１８の長手方向の寸法よりも若干短めに設定された長方形の板体を、短手方向の両端縁部を約４５度の角度で同一方向に屈曲成形して構成され、一方の上屈曲辺３０ａがドアパネル１２にスポット溶接される。そして、上屈曲辺３０ａがドアパネル１２にスポット溶接された状態で、他方の下屈曲辺３０ｂが水平になると共に、両屈曲辺３０ａ,３０ｂの間に位置する傾斜部３０ｃは、図２に示すように、ドアパネル１２から後方に向けて略４５度の角度で下方傾斜するようになっている。また、下ブラケット２０は逆Ｌ字状に形成され、その垂直部２０ｂを下向に向けた状態でドアパネル１２にスポット溶接した際に、上側に位置する水平部２０ａが前記上ブラケット３０の水平な下屈曲辺３０ｂと平行に対向するよう構成される。
【００１２】
前記操作箱１８の上面板１８ｂには、図１に示す如く、その前端部側に前記マイクロスイッチ２１を取付ける固定部材としてのネジ３２が螺挿されるネジ孔３４が複数形成されると共に、その後端部側には長手方向に離間して２つのビス孔３６,３６が形成されている。また前記上ブラケット３０の水平な下屈曲辺３０ｂには、前記操作箱１８の上面板１８ｂに形成した２つのビス孔３６,３６と対応して、長手方向に離間する２つの通孔３８,３８が形成される。そして、操作箱１８を上下のブラケット３０,２０の間に介挿した状態で、下屈曲辺３０ｂ側から各通孔３８に挿通した固定部材としてのビス２２を対応するビス孔３６に螺挿することによって、操作箱１８が止着されるよう構成されている。このとき、図２および図３に示す如く、上ブラケット３０の傾斜部３０ｃと操作箱１８の上面板１８ｂとの間に所要の空間Ｓが画成され、該空間Ｓに上面板１８ｂのネジ孔３４が臨むよう設定される。また下ブラケット２０の水平部２０ａにも操作箱１８の下面板１８ｃに形成したビス孔(図示せず)と対応する通孔４０が形成され、水平部２０ａ側から通孔４０に挿通したビス２２をビス孔に螺挿することにより操作箱１８を止着するようになっている。なお、上下のブラケット３０,２０に形成される通孔３８,４０の内径は、操作箱１８に形成されるビス孔３６よりも大径に設定され、上下のブラケット３０,２０に対して操作箱１８をドアパネル１２に対する近接・離間方向に移動調整可能に構成されている。
【００１３】
【実施例の作用】
次に、実施例に係る飲料注出装置の操作箱取付け構造の作用につき説明する。前記ドアパネル１２の裏面側に、該パネル１２に形成した挿通孔１２ａ,１２ｂを挟む上下位置に上ブラケット３０と下ブラケット２０とを所要間隔離間して取付ける。すなわち、挿通孔１２ａ,１２ｂの上方位置に、上ブラケット３０の上屈曲辺３０ａを当接した状態でスポット溶接することで、前記傾斜部３０ｃがドアパネル１２に対して略４５度の角度で後方に向けて下方傾斜すると共に、下屈曲辺３０ｂが水平となる状態で上ブラケット３０が取付けられる。また挿通孔１２ａ,１２ｂの下方位置に、下ブラケット２０の垂直部２０ｂを下方に向けた状態でスポット溶接することで、上側に位置する水平部２０ａが前記上ブラケット３０の下屈曲辺３０ｂと平行に対向する状態で下ブラケット２０が取付けられる。なお、下屈曲辺３０ｂと水平部２０ａとの離間間隔は、操作箱１８の高さ寸法と略同一かまたは僅かに小さく設定される。
【００１４】
次に、前記上下のブラケット３０,２０における下屈曲辺３０ｂと水平部２０ａとの間に操作箱１８を介挿させ、前記マイクロスイッチ２１およびランプ２３をドアパネル１２に設けた前記挿通孔１２ａ,１２ｂに夫々対応させる(図３参照)。しかる後に、操作箱１８の上面板１８ｂおよび下面板１８ｃを、ビス２２を介して両ブラケット３０,２０の下屈曲辺３０ｂおよび水平部２０ａに止着する。このとき、上ブラケット３０の傾斜部３０ｃは下方傾斜しているから所要の弾力を有し、この弾力によって下ブラケット２０との間で操作箱１８を一時的に挟持することができるので、その後のビス止めを容易に行なうことが可能となる。また、上下のブラケット３０,２０に対して操作箱１８をドアパネル１２に対する近接・離間方向に移動調整可能となっているから、操作ラベル１４の押圧用ボタン１６とマイクロスイッチ２１との間隔を微調整することができる。
【００１５】
また図２に示す如く、上ブラケット３０の傾斜部３０ｃと操作箱１８の上面板１８ｂとの間に空間Ｓが画成され、この空間Ｓ内に、マイクロスイッチ２１を操作箱１８に取付けるためのネジ３２が臨む。すなわち、ドアパネル１２を開放した際に、ネジ３２は傾斜部３０ｂで覆われて露出することはなく、見栄えが良くなる。またネジ３２の配設位置を避ける必要はないので、上ブラケット３０の寸法を変更したり取付け位置をずらすことなく確実に操作箱１８を支持することができる。そして、操作箱１８の上方に位置する上ブラケット３０の傾斜部３０ｃは下方傾斜しているから、その上面に埃や露等が溜り難く、長期間に亘って衛生状態を保つことができる。更に、ネジ３２を避けるために上ブラケット３０に切欠を形成することによる埃や露等が溜り易くなるのも防止し得る。
【００１６】
また矩形状の操作箱１８の上部に傾斜部３０ｃを有する上ブラケット３０を配設することで、ドアパネル１２を開放した際に、作業者は操作箱１８の突出長さを小さく感じる。更にまた、前記空間Ｓ内に臨む位置であれば、マイクロスイッチ２１を取付ける位置(ネジ３２の位置)を任意に変更可能であり、設計の自由度が向上する。
【００１７】
【発明の効果】
以上に説明した如く、本発明に係る飲料注出装置の操作箱取付け構造では、ドアパネルに操作箱を取付ける上側の止着部材を傾斜させたことにより、該止着部材上に埃や露等が溜り難くなり、長期間に亘って衛生状態を保つことができる。また操作箱の上面板と止着部材との間に所要の空間を画成することにより、操作箱の上面板にネジ等の固定部材が突出している場合であっても、該部材と干渉することなく止着部材を取付けることができ、止着部材自体に煩雑な加工を必要としないために製造コスト自体を低く抑えることが可能となる。更に、上下の止着部材により操作箱を一時的に挟持しておき、しかる後に固定部材で止着し得るため、該操作箱をドアパネルに容易に取付け得る、等の有益な利点も有する。
【図面の簡単な説明】
【図１】  本発明の好適な実施例に係る飲料注出装置の操作箱取付け構造を示す分解斜視図である。
【図２】  実施例に係る飲料注出装置の操作箱取付け構造を示す縦断側面図である。
【図３】  実施例に係る飲料注出装置の操作箱取付け構造を示す一部切欠正面図である。
【図４】  ドアパネルに配設される各部材を示す分解斜視図である。
【図５】  従来技術に係る飲料注出装置の操作箱取付け構造を示す縦断側面図である。
【図６】  従来技術に係る飲料注出装置の操作箱取付け構造を示す分解斜視図である。
【図７】  飲料注出装置の本体を示す正面図および側面図である。
【符号の説明】
１０ 飲料注出装置，１２ ドアパネル，１８ 操作箱，１８ｂ 上面板
２１ マイクロスイッチ，２２ ビス(固定部材)，２３ ランプ
３０ 上ブラケット(上止着部材)，３０ａ 上屈曲辺，３０ｂ 下屈曲辺
３０ｃ 傾斜部，３２ ネジ(固定部材)，Ｓ 空間
【図１】
0003745454.tif 000002
【図２】
0003745454.tif 000003
【図３】
0003745454.tif 000004
【図４】
0003745454.tif 000005
【図５】
0003745454.tif 000006
【図６】
0003745454.tif 000007
【図７】
0003745454.tif 000008